(57)【要約】【課題】  パネルを傾かせることなく、ほぼ垂直に吊りに吊り上げることが可能な外壁パネルおよびその吊り上げ方法を提供する。【解決手段】  本発明の外壁パネル１は、面材４と該面材４の裏面に配設されたフレーム２とを備える外壁パネル１であって、前記フレーム２が面材４側に吊り上げ用治具３，３を中心振り分けにて取り付け可能に構成されてなるもので、その吊り上げは吊り上げ用治具３，３を中心振り分けにて取り付け、それに例えばシャックルを介してワイヤ掛けして吊り上げるものである。【選択図】  図１
2005105607.tif 000002
【特許請求の範囲】
【請求項１】
面材と該面材の裏面に配設されたフレームとを備える外壁パネルであって、
前記フレームが面材側に吊り上げ用治具を中心振り分けにて取り付け可能に構成されてなることを特徴とする外壁パネル。
【請求項２】
前記フレームがアングル材の一方の刃が面材の面と平行となるようにし、かつ、他方の刃を外方に突出するようにして構成されてなることを特徴とする請求項１記載の外壁パネル。
【請求項３】
面材と該面材の裏面に配設されたフレームとを備える外壁パネルの吊り上げ方法であって、
フレームを面材側に吊り上げ用治具を中心振り分けにて取り付け可能に構成し、該フレームに吊り上げ治具を配設し、該吊り上げ治具を利用して前記パネルを吊り上げることを特徴とする外壁パネルの吊り上げ方法。
【請求項４】
前記フレームをアングル材の一方の刃が面材の面と平行となるようにし、かつ、他方の刃を外方に突出するようにして構成し、該フレームに吊り上げ治具を配設し、該吊り上げ治具を利用して前記パネルを吊り上げることを特徴とする請求項３記載の外壁パネルの吊り上げ方法。
【発明の詳細な説明】
【技術分野】
【０００１】
本発明は，外壁パネルおよびその吊り上げ方法に関する。さらに詳しくは，吊り込みが容易になし得る外壁パネルおよびそのパネル吊り上げ方法に関する。
【背景技術】
【０００２】
従来より、外壁パネルなどを建て込むために吊り上げる際には、図６および図７に示すように、パネル１０１，１０２のフレーム１０３，１０４に吊り上げ用治具１０５，１０６を取り付けて、これをワイヤー１０７，１０８等によって吊り上げるのが一般的な方式とされる。
【０００３】
しかしながら、この従来の方式においては、パネル断面における幅方向の外側、つまりパネル１０１，１０２の一方の表面よりも外側に治具１０５，１０６の取り付け位置があるため、図８に示すように、パネル１０１，１０２の重心Ｇと治具１０５，１０６による吊り下げ位置とを結ぶ線１０９と、パネル１０１，１０２の縦方向中心線１１０との角度θが大きくなり、吊り下げたときにパネルが大きく傾いてしまう。このため、狭小地や足場が組まれていてスペースの余裕がない場合などに、建て込みが困難になるといった問題がある。
【発明の開示】
【発明が解決しようとする課題】
【０００４】
本発明はかかる従来技術の課題に鑑みなされたものであって、パネルを傾かせることなく、ほぼ垂直に吊りに吊り上げることが可能な外壁パネルおよびその吊り上げ方法を提供することを目的としている。
【課題を解決するための手段】
【０００５】
本発明の外壁パネルは、面材と該面材の裏面に配設されたフレームとを備える外壁パネルであって、前記フレームが面材側に吊り上げ用治具を中心振り分けにて取り付け可能に構成されてなることを特徴とする。
【０００６】
本発明の外壁パネルにおいては、例えば、前記フレームがアングル材の一方の刃が面材の面と平行となるようにし、かつ、他方の刃を外方に突出するようにして構成されてなるものとされる。
【０００７】
本発明の外壁パネルの吊り上げ方法は、面材と該面材の裏面に配設されたフレームとを備える外壁パネルの吊り上げ方法であって、フレームを面材側に吊り上げ用治具を中心振り分けにて取り付け可能に構成し、該フレームに吊り上げ治具を配設し、該吊り上げ治具を利用して前記パネルを吊り上げることを特徴とする。
【０００８】
本発明の外壁パネルの吊り上げ方法においては、例えば、前記フレームをアングル材の一方の刃が面材の面と平行となるようにし、かつ、他方の刃を外方に突出するようにして構成し、該フレームに吊り上げ治具を配設し、該吊り上げ治具を利用して前記パネルを吊り上げるものとされる。 
【発明の効果】
【０００９】
本発明によれば、外壁パネルをほぼ垂直に吊り上げることができるという優れた効果を奏する。
【発明を実施するための最良の形態】
【００１０】
以下、添付図面を参照しながら本発明を実施形態に基づいて説明するが、本発明はかかる実施形態のみに限定されるものではない。
【００１１】
図１に本発明の一実施形態に係る外壁パネルの要部を断面図で示し、図２に同パネルの全体構成を示す。
【００１２】
同図に示すように、この外壁パネル１は、パネル１のフレーム２を面材側に吊り上げ用治具３を取り付け可能に構成し、例えばアングルの一方の刃を面材に平行にし、かつ、他方の刃を外方に突出するようにし、そのフレーム２の面材４側の両側近傍に例えば板ナットからなる吊り上げ用治具３，３を中心振り分けに取り付け、この吊り上げ用治具３，３に図示しないワイヤー等を接続して、クレーン等によってパネル１をほぼ垂直に吊り上げるものとされる。
【００１３】
パネル１は、軽量コンクリート４ａおよび外装タイル４ｂから構成される面材４に、アングルフレーム２を取り付けて補強してなるものとされる。ここで、フレーム２の他方刃は面材４の一方の表面、ここではパネル裏面と平行に所定の間隙Ｌをあけて取り付けられており、その間隙Ｌには、断熱材例えばロックウールフェルト５が介装される。また、アングルフレーム２の一方の刃は外方に突出するようにされている。
【００１４】
治具３は、パネル１の厚み方向中央より、つまり厚み方向でパネル１の重心（不図示である）を含む面に近い位置においてフレーム２に取り付けられる。すなわち、フレーム２の他方の刃に取り付けられる。これによって治具３，３がなす面とパネル１の重心を含む面との距離がほぼゼロとなり、治具３，３にワイヤー等を接続してパネル１を吊り上げたときの傾きを小さくできて、ほぼ垂直にパネルを吊ることがてぎる。
【００１５】
図２に、パネル１の全体図を示す。図３に、パネル１のフレーム２と面材４との結合部分を拡大して示す。
【００１６】
図３に示すように、フレーム２は、面材４に埋設されるアンカー部材１１により面材４に取り付けられる。アンカー部材１１は、予め埋設されるアンカーボルト１２に所定長さの高ナット１３を螺合させ、これにより面材４表面(パネル１裏面)と間隙Ｌをおいてフレーム２を支持するものとされる。
【００１７】
このように、実施形態の外壁パネル１は、パネル１の断面における厚み方向の内側となる重心を含む面により近い位置に治具３，３を設けているため、治具３，３にワイヤー等を掛けて吊り上げたときにパネル１をほぼ垂直に吊ることができる。したがって、狭小地である場合や足場が組まれておりスペース的な余裕がない場合においてもスムーズにパネル１の建て込みを行うことができる。
【００１８】
なお、上記実施形態においては、フレーム２に直接的に治具３を取り付ける例を示したが、図４に示すように、治具３の取り付け位置がパネル１の断面における厚み方向内側であれば、構造躯体にパネル１を取り付けるためのファスナー２１に治具３を設けるようにしてもよい。
【００１９】
また、図５に示すように、例えばパネル１が最上階に用いるものである場合は、フレーム２に直接係合孔２２を設けて、そこにシャックルを介してワイヤーを接続するようにしてもよい。
【産業上の利用可能性】
【００２０】
このように、本発明はパネルを吊り込みする場合に適用することができる。
【図面の簡単な説明】
【００２１】
【図１】本発明の一実施形態に係る外壁パネルの要部断面図である。
【図２】パネルの全体構成を示す３面図であり、同（ａ）は正面図を示し、同（ｂ）は側面図を示し、同（ｃ）は底面図を示す。
【図３】パネル面材とフレームとの結合部分の詳細を示す図である。
【図４】本発明の改変冷を示す断面図である。
【図５】本発明のさらに他の改変例を示す断面図である。
【図６】従来のパネル吊り上げ方法の一例の説明図である。
【図７】従来のパネル吊り上げ方法の他の一例の説明図である。
【図８】従来のパネル吊り上げ方法における問題点を模式的に示す図である。
【符号の説明】
【００２２】
１    パネル
２    フレーム
３    治具
４    面材
１１    アンカー部材
【図１】
2005105607.tif 000003
【図２】
2005105607.tif 000004
【図３】
2005105607.tif 000005
【図４】
2005105607.tif 000006
【図５】
2005105607.tif 000007
【図６】
2005105607.tif 000008
【図７】
2005105607.tif 000009
【図８】
2005105607.tif 000010